(57)【要約】【課題】顔の特定部位を洗浄した洗浄液を確実に回収することが可能な顔専用洗浄液回収具を提案する。【解決手段】顔専用洗浄液回収具は、顔の特定部位に供給して洗浄後の洗浄液を受けて貯留する洗浄液回収皿１０を有し、洗浄液回収皿１０は、洗浄液を受ける開口側の外周に顔の特定部位に密着させるつば部２０を有する。つば部２０に、顔の特定部位に密着させる弾性部材４０を備える。また、洗浄液回収皿１０の内部に、洗浄した洗浄具の汚れを掻き落として洗浄する掻き落とし洗浄部４１を備え、また洗浄時に洗浄液回収皿１０を保持する握り部４４を備え、また洗浄時に洗浄液回収皿１０を顔に保持するための保持体４５を備え、また洗浄時に洗浄液を洗浄具から絞り落として洗浄液量を調節する洗浄液量調節具４７を備え、また洗浄時に顔の特定部位を確認する鏡器具４８を備える。【選択図】図１
2011125398.tif 000002
【特許請求の範囲】
【請求項１】
顔の特定部位に供給して洗浄後の洗浄液を受けて貯留する洗浄液回収皿を有し、
前記洗浄液回収皿は、前記洗浄液を受ける開口側の外周に前記顔の特定部位に密着させるつば部を有することを特徴とする顔専用洗浄液回収具。
【請求項２】
前記洗浄液回収皿は、開口側から見て、
底部から立ち上がる短い円弧状の側壁と、
前記底部から立ち上がる短い円弧状の側壁より長い円弧状の側壁と、
前記短い円弧状の側壁と前記長い円弧状の側壁の端部同士を連結する一対の連結壁からなり、
前記つば部は、前記短い円弧状の側壁と、前記一対の連結壁から所定角度外側に広げて形成されていることを特徴とする請求項１に記載の顔専用洗浄液回収具。
【請求項３】
前記短い円弧状の側壁と、
前記長い円弧状の側壁と、
前記短い円弧状の側壁と前記長い円弧状の側壁の端部同士を連結する一対の連結壁とは、
前記底部から外側に向かって広がるように形成したことを特徴とする請求項２に記載の顔専用洗浄液回収具。
【請求項４】
前記つば部は、前記短い円弧状の側壁と前記一対の連結壁の一部とを連結する角部が曲面に形成されていることを特徴とする請求項１乃至請求項３のいずれか１項に記載の顔専用洗浄液回収具。
【請求項５】
前記つば部は、前記顔の特定部位に密着させる部分が局面に形成されていることを特徴とする請求項１乃至請求項４のいずれか１項に記載の顔専用洗浄液回収具。
【請求項６】
前記つば部に、前記顔の特定部位に密着させる弾性部材を備えることを特徴とする請求項１乃至請求項５のいずれか１項に記載の顔専用洗浄液回収具。
【請求項７】
前記洗浄液回収皿の内部に、洗浄した洗浄具の汚れを掻き落として洗浄する掻き落とし洗浄部を備えることを特徴とする請求項１乃至請求項６のいずれか１項に記載の顔専用洗浄液回収具。
【請求項８】
前記洗浄液回収皿に、洗浄時に前記洗浄液回収皿を保持する握り部を備えることを特徴とする請求項１乃至請求項８のいずれか１項に記載の顔専用洗浄液回収具。
【請求項９】
前記洗浄液回収皿に、洗浄時に前記洗浄液回収皿を身体に保持するための保持体を備えることを特徴とする請求項１乃至請求項８のいずれか１項に記載の顔専用洗浄液回収具。
【請求項１０】
前記洗浄液回収皿に、洗浄時に洗浄液を洗浄具から絞り落として洗浄液量を調節する洗浄液量調節具を備えることを特徴とする請求項１乃至請求項１０のいずれか１項に記載の顔専用洗浄液回収具。
【請求項１１】
前記洗浄液回収皿に、洗浄時に顔の特定部位を確認する鏡器具を備えることを特徴とする請求項１乃至請求項１１のいずれか１項に記載の顔専用洗浄液回収具。
【請求項１２】
前記洗浄液回収皿には、前記掻き落とし洗浄部、または前記握り部、または前記保持体、または前記洗浄液量調節具、または前記鏡器具を取り付ける取付部が形成されていることを特徴とする請求項７乃至請求項１１のいずれか１項に記載の顔専用洗浄液回収具。
【請求項１３】
前記洗浄液回収皿に、前記掻き落とし洗浄部、または前記握り部、または前記保持体、または前記洗浄液量調節具、または前記鏡器具を、共通の接続部品を介して取り付けることを特徴とする請求項７乃至請求項１１のいずれか１項に記載の顔専用洗浄液回収具。
【発明の詳細な説明】
【技術分野】
【０００１】
この発明は、特に人の目の周囲に塗布された化粧用塗布液などを洗浄し、この洗浄液を確実に回収することが可能な顔専用洗浄液回収具に関する。
【背景技術】
【０００２】
例えば、化粧のために目の周囲に塗布される塗布液として、従来から、まつ毛についてマスカラ液を塗布したり、目蓋にアイラインを書いたりすることが行われている（特許文献１）。
【０００３】
これらの化粧用塗布液を落す手法としては、化粧用塗布液専用に用意された除去液を綿棒やティッシュペーパーに含ませてまつ毛や目蓋を擦ったり、挟んだりすることにより、化粧用塗布液を拭い取る方法を用いたり、クレンジングクリームを塗ってコットンで拭き取ったり、洗顔をする際に目の周囲に石鹸を塗って指で擦りながら湯又は水で洗い流すような手法を用いている。
【先行技術文献】
【特許文献】
【０００４】
【特許文献１】特開２００９−６０９９８号公報
【発明の概要】
【発明が解決しようとする課題】
【０００５】
このような従来の手法は、塗布液を除去することにまつ毛を擦ったり挟んだりすることになるので、結局まつ毛が抜けたり、折れたり、曲ったりすることによりまつ毛を傷めるような結果になっている。
【０００６】
実際上、まつ毛は髪の毛のように毛量が多くなく、極めて少ないのであるから、抜けたり折れたりさせるようなことはできるだけ回避することが望ましい。このため、例えば洗浄具から洗浄液をまつ毛に供給して洗浄するようにするとまつ毛を傷つけることなく洗浄することができるが、洗浄液が顔面上を流れてたれ落ちることがある。
【０００７】
この発明は、以上の点を考慮してなされたもので、顔の特定部位を洗浄した洗浄液を確実に回収することが可能な顔専用洗浄液回収具を提案することを目的とする。
【課題を解決するための手段】
【０００８】
前記課題を解決し、かつ目的を達成するために、この発明は、以下のように構成した。
請求項１に記載の発明は、顔の特定部位に供給して洗浄後の洗浄液を受けて貯留する洗浄液回収皿を有し、
前記洗浄液回収皿は、前記洗浄液を受ける開口側の外周に前記顔の特定部位に密着させるつば部を有することを特徴とする顔専用洗浄液回収具である。
【０００９】
請求項２に記載の発明は、前記洗浄液回収皿は、開口側から見て、
底部から立ち上がる短い円弧状の側壁と、
前記底部から立ち上がる短い円弧状の側壁より長い円弧状の側壁と、
前記短い円弧状の側壁と前記長い円弧状の側壁の端部同士を連結する一対の連結壁からなり、
前記つば部は、前記短い円弧状の側壁と、前記一対の連結壁から所定角度外側に広げて形成されていることを特徴とする請求項１に記載の顔専用洗浄液回収具である。
【００１０】
請求項３に記載の発明は、前記短い円弧状の側壁と、
前記長い円弧状の側壁と、
前記短い円弧状の側壁と前記長い円弧状の側壁の端部同士を連結する一対の連結壁とは、
前記底部から外側に向かって広がるように形成したことを特徴とする請求項２に記載の顔専用洗浄液回収具である。
【００１１】
請求項４に記載の発明は、前記つば部は、前記短い円弧状の側壁と前記一対の連結壁の一部とを連結する角部が曲面に形成されていることを特徴とする請求項１乃至請求項３のいずれか１項に記載の顔専用洗浄液回収具である。
【００１２】
請求項５に記載の発明は、前記つば部は、前記顔の特定部位に密着させる部分が局面に形成されていることを特徴とする請求項１乃至請求項４のいずれか１項に記載の顔専用洗浄液回収具である。
【００１３】
請求項６に記載の発明は、前記つば部に、前記顔の特定部位に密着させる弾性部材を備えることを特徴とする請求項１乃至請求項５のいずれか１項に記載の顔専用洗浄液回収具である。
【００１４】
請求項７に記載の発明は、前記洗浄液回収皿の内部に、洗浄した洗浄具の汚れを掻き落として洗浄する掻き落とし洗浄部を備えることを特徴とする請求項１乃至請求項６のいずれか１項に記載の顔専用洗浄液回収具である。
【００１５】
請求項８に記載の発明は、前記洗浄液回収皿に、洗浄時に前記洗浄液回収皿を保持する握り部を備えることを特徴とする請求項１乃至請求項８のいずれか１項に記載の顔専用洗浄液回収具である。
【００１６】
請求項９に記載の発明は、前記洗浄液回収皿に、洗浄時に前記洗浄液回収皿を身体に保持するための保持体を備えることを特徴とする請求項１乃至請求項８のいずれか１項に記載の顔専用洗浄液回収具である。
【００１７】
請求項１０に記載の発明は、前記洗浄液回収皿に、洗浄時に洗浄液を洗浄具から絞り落として洗浄液量を調節する洗浄液量調節具を備えることを特徴とする請求項１乃至請求項１０のいずれか１項に記載の顔専用洗浄液回収具である。
【００１８】
請求項１１に記載の発明は、前記洗浄液回収皿に、洗浄時に顔の特定部位を確認する鏡器具を備えることを特徴とする請求項１乃至請求項１１のいずれか１項に記載の顔専用洗浄液回収具である。
請求項１２に記載の発明は、前記洗浄液回収皿には、前記掻き落とし洗浄部、または前記握り部、または前記保持体、または前記洗浄液量調節具、または前記鏡器具を取り付ける取付部が形成されていることを特徴とする請求項７乃至請求項１１のいずれか１項に記載の顔専用洗浄液回収具である。
【００１９】
請求項１３に記載の発明は、前記洗浄液回収皿に、前記掻き落とし洗浄部、または前記握り部、または前記保持体、または前記洗浄液量調節具、または前記鏡器具を、共通の接続部品を介して取り付けることを特徴とする請求項７乃至請求項１１のいずれか１項に記載の顔専用洗浄液回収具である。
【発明の効果】
【００２０】
前記構成により、この発明は、以下のような効果を有する。
【００２１】
請求項１に記載した発明では、顔の特定部位に供給して洗浄後の洗浄液を洗浄液回収皿に受けて貯留し、この洗浄液回収皿は、洗浄液を受ける開口側の外周のつば部を顔の特定部位に密着させることができ、顔の特定部位を洗浄した洗浄液を確実に回収することが可能である。例えば、左右どちらのまつ毛に洗浄液を供給して洗浄する際にも、まつ毛の下横の部位に丸みがあり、かつ目頭の部位は凹みになり、また下目蓋に丸みがあり、目頭下の部位に凹みがあっても、下目蓋の下の部位での顔正面と鼻際凹部につば部を密着させることができ、また、さらに下の部位での顔の正面の丸みと小鼻凹部につば部を密着させることができ、また、さらにもう少し下の頬の丸みと鼻下につば部を密着させることができ、顔の特定部位を洗浄した洗浄液を漏れなく確実に回収することが可能である。
【００２２】
請求項２に記載した発明では、つば部は、短い円弧状の側壁と、一対の連結壁から所定角度外側に広げて形成されていることから、例えば、左右どちらのまつ毛に洗浄液を供給して洗浄する際にも、つば部を顔の特定部位に確実に隙間なく密着させることができる。
【００２３】
請求項３に記載した発明では、洗浄液回収皿が底部から外側に向かって広がるように形成されており、洗浄した洗浄液を受けて貯留し易く確実に回収することができる。
【００２４】
請求項４に記載した発明では、つば部は、短い円弧状の側壁と一対の連結壁の一部とを連結する角部が曲面に形成され、例えば、左右どちらのまつ毛に洗浄液を供給して洗浄する際にも、下目蓋の下の部位での顔正面と鼻際凹部につば部を密着させ、また、さらに下の部位での顔の正面の丸みと小鼻凹部につば部を密着させることができる。
【００２５】
請求項５に記載した発明では、つば部は、顔の特定部位に密着させる部分が局面に形成され、顔の特定部位に沿わせて隙間なく密着させることができる。
【００２６】
請求項６に記載した発明では、つば部に、顔の特定部位に密着させる弾性部材を備え、この弾性部材が変形することによって顔の特定部位に沿わせて隙間なく密着させることができる。
【００２７】
請求項７に記載した発明では、洗浄液回収皿の内部に備えた掻き落とし洗浄部によって、洗浄した洗浄具の汚れを簡単かつ確実に掻き落とすことができ、洗浄具を再使用することができる。
【００２８】
請求項８に記載した発明では、洗浄時に、握り部によって洗浄液回収皿を保持して、つば部を顔の特定部位に密着させることができる。
【００２９】
請求項９に記載した発明では、洗浄時に、保持体によって洗浄液回収皿を身体に保持して、つば部を顔の特定部位に密着させることができる。
【００３０】
請求項１０に記載の発明では、洗浄時に、洗浄液量調節具によって洗浄液を洗浄具から絞り落として洗浄液の残量を調節することができる。
【００３１】
請求項１１に記載した発明では、洗浄時に、洗浄液回収皿に備えた鏡器具によって、顔の特定部位を確認しながら洗浄して洗浄液を洗浄液回収皿に回収することができる。
【００３２】
請求項１２に記載した発明では、洗浄液回収皿に取付部が形成されており、この取付部に握り部、または保持体、または洗浄液量調節具、または鏡器具を確実に取り付けることができる。
【００３３】
請求項１３に記載した発明では、洗浄液回収皿に共通の接続部品を介して掻き落とし洗浄部、または握り部、または保持体、または洗浄液量調節具、または鏡器具を取り付けることができる。
【図面の簡単な説明】
【００３４】
【図１】洗浄液回収皿の平面図である。
【図２】洗浄液回収皿の背面図である。
【図３】洗浄液回収皿の右側面図である。
【図４】洗浄液回収皿の底面図である。
【図５】図１のＶ−Ｖ線に沿う断面図である。
【図６】まつ毛の下に密着させる側面図である。
【図７】鼻の部分に密着させる平面図である。
【図８】弾性部材を備える洗浄液回収皿を示す図である。
【図９】弾性部材を備える洗浄液回収皿をまつ毛の下に密着させる側面図である。
【図１０】掻き落とし洗浄部を備える顔専用洗浄液回収具を示す図である。
【図１１】握り部を備える顔専用洗浄液回収具を示す図である。
【図１２】保持体を備える顔専用洗浄液回収具を示す図である。
【図１３】洗浄液量調節具を備える顔専用洗浄液回収具を示す図である。
【図１４】鏡器具を備える顔専用洗浄液回収具を示す図である。
【図１５】洗浄液回収皿に取付部を設けた実施の形態の顔専用洗浄液回収具を示す図である。
【図１６】洗浄液回収皿に共通の接続部品を介して取り付ける実施の形態の顔専用洗浄液回収具を示す図である。
【発明を実施するための形態】
【００３５】
以下、この発明の顔専用洗浄液回収具の実施の形態について説明する。この発明の実施の形態は、発明の最も好ましい形態を示すものであり、この発明はこれに限定されない。
［第１の実施の形態］
この第１の実施の形態の顔専用洗浄液回収具を、図１乃至図５に示し、図１は平面図、図２は背面図、図３は右側面図、図４は底面図、図５はＶ−Ｖ線に沿う断面図である。
【００３６】
この顔専用洗浄液回収具１は、顔の特定部位に供給して洗浄後の洗浄液を受けて貯留する洗浄液回収皿１０を有し、この洗浄液回収皿１０は、開口側から見て、底部１１から立ち上がる短い円弧状の側壁１２と、短い円弧状の側壁１２より長い円弧状の側壁１３と、短い円弧状の側壁１２と長い円弧状の側壁１３の端部同士を連結する一対の連結壁１４，１５からなり、樹脂または金属などで一体に成形される。
【００３７】
この短い円弧状の側壁１２と、長い円弧状の側壁１３と、短い円弧状の側壁１２と長い円弧状の側壁の端部同士を連結する一対の連結壁１４，１５とは、底部１１から外側に向かって広がるように形成されている。
【００３８】
この洗浄液回収皿１０は、洗浄液を受ける開口側の外周に顔の特定部位に密着させるつば部２０を有し、このつば部２０は、短い円弧状の側壁１２と、一対の連結壁１４，１５から所定角度外側に広げて形成され、短い円弧状の側壁１２から所定角度外側に広げた部分２０ａと、一対の連結壁１４，１５から所定角度外側に広げた部分２０ｂ，２０ｃとから構成されている。
【００３９】
一対の連結壁１４，１５は、短い円弧状の側壁１２側の一部１４ａ，１５ａが底部１１から略垂直から外側に立ち上がり、上部に所定角度外側に広げた部分２０ｂ，２０ｃが形成されている。また、一対の連結壁１４，１５は、長い円弧状の側壁１３側の一部１４ｂ，１５ｂが底部１１から略垂直から外側に立ち上がる。
【００４０】
つば部２０は、短い円弧状の側壁１２の上部に所定角度外側に広げた部分２０ａと、一対の連結壁１４，１５の上部に所定角度外側に広げた部分２０ｂ，２０ｃとが屈曲部２０ｄ，２０ｅで連結されている。このように、つば部２０は、短い円弧状の側壁１２と一対の連結壁１４，１５の一部とを連結する角部が屈曲部２０ｄ，２０ｅの曲面に形成され、顔の特定部位に密着させる部分が屈曲部２０ｄ，２０ｅによって局面に形成されている。
【００４１】
長い円弧状の側壁１３には、内面側に縦方向にリブ１３ａが所定間隔で形成されている。また、底部１１には、長い円弧状の側壁１３に沿って凹み形状の取付部１１ａ１が形成され、一対の連結壁１４，１５の長い円弧状の側壁１３側の一部１４ｂ，１５ｂに沿って凹み形状の取付部１１ａ２，１１ａ３が形成されている。この取付部１１ａの両側は、取付部１１ａ２，１１ａ３と連通し、取付部１１ａ２，１１ａ３の長い円弧状の側壁１３側は開放されているが、開放していない形状でもよい。
【００４２】
底部１１には、短い円弧状の側壁１２の下部に沿って下方へ突出してリブ状の立足１１ａ１０が形成され、さらに長い円弧状の側壁１３側には、一対のボス状の立足１１ａ１１，１１ａ１２が形成され、洗浄液回収皿１０は立足１１ａ１０と立足１１ａ１１，１１ａ１２によって安定して置くことができる。
【００４３】
この顔専用洗浄液回収具１の使用を、図６及び図７に示し、図６はまつ毛の下に密着させる図で、図６  （ａ）は側面図、図６（ｂ）は平面図である。また、図７は顔正面と鼻際凹部に密着させる図、図７（ａ）は右側の平面図、図７（ｂ）は左側の平面図である。
【００４４】
この実施の形態は、洗浄具９０でまつ毛８０を洗浄する例であり、この洗浄時には洗浄具９０から顔の特定部位に洗浄液を供給してまつ毛８０に付着しているマスカラ液を落とす洗浄を行う。
【００４５】
この洗浄時には、例えば、左右どちらのまつ毛８０に洗浄液を供給して洗浄する際にも、まつ毛８０の下横の部位に丸みがあり、かつ目頭の部位は凹みになり、また下目蓋に丸みがあり、目頭下の部位に凹みがあっても、図６に示すように、下目蓋の下の部位での顔正面と鼻際凹部につば部２０の所定角度外側に広げた部分２０ａを密着させることができる。
【００４６】
また、さらに下の部位での顔の正面の丸みと小鼻凹部に、図７に示すように、つば部２０の所定角度外側に広げた部分２０ａと、所定角度外側に広げた部分２０ｂまたは部分２０ｃを密着させることができ、また、さらにもう少し下の頬の丸みと鼻下につば部を密着させることができ、身体の特定部位を洗浄した洗浄液を漏れなく確実に回収することが可能である。
【００４７】
このように、洗浄後の洗浄液を洗浄液回収皿１０に受けて貯留し、この洗浄液回収皿１０は、洗浄液を受ける開口側の外周のつば部２０を顔の特定部位に密着させることができ、顔の特定部位を洗浄した洗浄液を確実に回収することが可能である。
【００４８】
また、つば部２０は、短い円弧状の側壁１２と、一対の連結壁１４，１５からつば部２０の所定角度外側に広げた部分２０ａと、所定角度外側に広げた部分２０ｂまたは部分２０ｃを密着させ、例えば、左右どちらのまつ毛８０に洗浄液を供給して洗浄する際にも、つば部２０を身体の特定部位に確実に隙間なく密着させることができる。
【００４９】
また、つば部２０は、短い円弧状の側壁１２と一対の連結壁１４，１５の一部とを連結する角部が屈曲部２０ｄ，２０ｅによって曲面に形成され、例えば、左右どちらのまつ毛８０に洗浄液を供給して洗浄する際にも、下目蓋の下の部位での顔正面と鼻際凹部につば部２０の所定角度外側に広げた部分２０ａと、所定角度外側に広げた部分２０ｂまたは部分２０ｃを密着させ、また、さらに下の部位での顔の正面の丸みと小鼻凹部につば部２０を密着させることができる。
【００５０】
つば部２０は、顔の特定部位に密着させる部分が、短い円弧状の側壁１２の所定角度外側に広げた部分２０ａが局面に形成され、一対の連結壁１４，１５の所定角度外側に広げた部分２０ｂ，２０ｃが局面に形成され、顔の特定部位に沿わせて隙間なく密着させることができる。
【００５１】
また、洗浄液回収皿１０は、短い円弧状の側壁１２と、長い円弧状の側壁１３と、短い円弧状の側壁１２と長い円弧状の側壁の端部同士を連結する一対の連結壁１４，１５とは、底部１１から外側に向かって広がるように形成されており、洗浄した洗浄液を受けて貯留し易く確実に回収することができる。
【００５２】
また、顔の特定部位の洗浄される洗浄対象部位は、まつ毛、爪、髪、顔面、口内など顔全体である。洗浄液には、化粧用塗布液専用に用意された除去液、石鹸水などがあり、化粧用塗布液としては、マスカラ液、マニキュア液、口紅、ボディローション、ボディパウダー、日焼け止めクリーム等である。
【００５３】
［第２の実施の形態］
この第２の実施の形態の顔専用洗浄液回収具１を、図８に示し、図８（ａ）は弾性部材を一体に備える側面図、図８（ｂ）は弾性部材を別体に形成して備える側面図である。この第２の実施の形態の顔専用洗浄液回収具１は、洗浄液回収皿１０が第１の実施の形態と同様に構成されるが、つば部２０に、顔の特定部位に密着させる弾性部材４０を備える。
【００５４】
この弾性部材４０は、軟質樹脂、ゴム、スポンジ、発泡ウレタンなどの部材で成形され、図８（ａ）では一体型に短い円弧状の側壁１２の所定角度外側に広げた部分２０ａに取り付けているが、図８（ｂ）では別体型であり、短い円弧状の側壁１２の所定角度外側に広げた部分２０ａに着脱可能になっている。この実施の形態では、つば部２０の所定角度外側に広げた部分２０ａのみに弾性部材４０を備えているが、所定角度外側に広げた部分２０ｂ，２０ｃにも備えるようにしてもよい。
【００５５】
この顔専用洗浄液回収具１の使用を、図９に示し、図９はまつ毛の下に密着させる図で、図９（ａ）は一体型の側面図、図９（ｂ）は別体型の平面図である。つば部２０に、顔の特定部位に密着させる弾性部材４０を備え、この弾性部材４０を例えば、左右どちらのまつ毛８０に洗浄液を供給して洗浄する際にも、まつ毛８０の下横の部位に丸みがあり、かつ目頭の部位は凹みになり、また下目蓋に丸みがあるが、弾性部材４０が変形することによって顔の特定部位に沿わせて隙間なく密着させることができる。
【００５６】
［第３の実施の形態］
この第３の実施の形態の顔専用洗浄液回収具１を、図１乃至図５に示し、この第３の実施の形態の顔専用洗浄液回収具１は、第１の実施の形態の洗浄液回収皿１０と同様に構成されるが、洗浄液回収皿１０の内部に、洗浄した洗浄具の汚れを掻き落として洗浄する掻き落とし洗浄部４１を備える。この実施の形態では、掻き落とし洗浄部４１が、台部４１ａと、針部４１ｂと一体に形成されている。また、台部４１ａが底部１１の内側から長い円弧状の側壁１３の内側に一体に斜め形状に形成され、針部４１ｂが底部１１から長い円弧状の側壁１３に向けて高くなるようになっているが、台部４１ａと針部４１ｂと一体に形成し、台部４１ａを底部１１に接着剤などによって固定してもよい。また、底部１１に、前後一対の止め部を設け、この一対の止め部に台部を係合して掻き落とし洗浄部４１を着脱可能に備えてもよい。
【００５７】
この掻き落とし洗浄部４１を着脱可能にする構成を、図１０に示し、図１０（ａ）は顔専用洗浄液回収具の断面図、図１０（ｂ）は顔専用洗浄液回収具の平面図である。掻き落とし洗浄部４１は、取付部４１ｃを有し、この取付部４１ｃを長い円弧状の側壁１３の上部から嵌め込んで取り付け、掻き落とし洗浄部４１が洗浄液回収皿１０に着脱可能になっている。
【００５８】
このように、掻き落とし洗浄部４１は、洗浄液回収皿１０の内側、側面または底面に、一体成型または嵌め込みで固定し、または取り外しできるようにして設け、この掻き落とし洗浄部４１は、例えば１列又は複数にしたプラスチック成型でも、プラスチック繊維及び金属細線を刷毛やネジリブラシを、歯ブラシ、ワイヤーブラシのように植毛してもよい。また、プラスチック繊維や金属細線は、必要とする長さにカットしたままの使用と、カットの片方のみ針状加工したものや両端を針状加工した糸や金属線を使用し、また毛を使用しても良い。
【００５９】
洗浄液回収皿１０の内部に掻き落とし洗浄部４１を備え、この掻き落とし洗浄部４１によって、洗浄するとき、または洗浄が終了したときなどに洗浄した洗浄具を掻き落とし洗浄部４１に擦りつけ、洗浄具に付着している汚れを簡単かつ確実に掻き落とすことができ、洗浄具を再使用することができる。掻き落とし洗浄部４１は、洗浄液回収皿１０の底部１１に一体成形すると、簡単かつ低安価に製作することができ、また、洗浄液回収皿１０の底部１１に着脱可能であると、掻き落とし洗浄部４１が汚れた場合に新たなものと交換することができる。
【００６０】
［第４の実施の形態］
この第４の実施の形態の顔専用洗浄液回収具１を、図１１に示し、図１１（ａ）は握り部の斜視図、図１１（ｂ）は洗浄液回収皿に握り部を取り付けた状態の断面図、図１１（ｃ）〜（ｅ）は他の実施の形態の握り部の側面図である。
【００６１】
この第４の実施の形態の顔専用洗浄液回収具１は、洗浄液回収皿１０が第１の実施の形態と同様に構成されるが、洗浄液回収皿１０に、洗浄時に洗浄液回収皿１０を保持する握り部４４を備える。
【００６２】
この実施の形態では、握り部４４が、握り本体４４ａと、下側取り付け部４４ｂと、上側取り付け部４４ｃと一体に樹脂などの変形な材料によって形成されている。握り本体４４ａは、片手で握り可能な大きさ形状である。下側取り付け部４４ｂは、洗浄液回収皿１０の外周下壁に当接される片部４４ｂ１と、底部１１の凹み部１１ａに係合する突起４４ｂ２と、この片部４４ｂ１と突起４４ｂ２との間に形成される係合凹み部４４ｂ３が形成されている。上側取り付け部４４ｃは、洗浄液回収皿１０の外周上壁に当接される片部４４ｃ１と、内周上壁に当接される片部４４ｃ２と、この片部４４ｃ１と片部４４ｃ３との間に形成される係合凹み部４４ｃ３が形成されている。
【００６３】
この握り部４４は、上側取り付け部４４ｃの係合凹み部４４ｃ３を長い円弧状の側壁１３の上部に嵌め込み、下側取り付け部４４ｂの突起４４ｂ２を長い円弧状の側壁１３の下部に当てて押し込むと握り本体４４ａが変形し、突起４４ｂ２が底部１１の取付部１１ａ１に係合し、係合凹み部４４ｂ３が長い円弧状の側壁１３の下角部に嵌め込む。このようにして、洗浄液回収皿１０に握り部４４をリブ１３ａとリブ１３ａとの間に備え、両側にリブ１３ａによって握り部４４のずれや倒れを防止する。
【００６４】
この握り部４４は、一対の連結壁１４，１５の一部１４ｂ，１５ｂに備えることができ、右利き、左利きの人の持ち方が便利なように取り外し位置替えができる。例えば、右手で洗浄具を持って洗浄する人には左側の連結壁１４の一部１４ｂに備え、左手で洗浄具を持って洗浄する人には右側の連結壁１５の一部１５ｂに備えると、洗浄具を持つ反対側の手で握り部４４を持って使用するが、長い円弧状の側壁１３に握り部４４を備える場合にはどちらの手で持っても洗浄時に、握り部４４によって洗浄液回収皿１０を保持して、つば部２０を顔の特定部位に密着させることができる。
【００６５】
図１１（ｃ）の実施の形態の握り部４４は、上側取り付け部４４ｃと下側取り付け部４４ｂとを直線状の連結部４４ｄで連結したものであり、図１１（ａ）の実施の形態の握り部４４と同様に洗浄液回収皿１０に取り付けることができる。
【００６６】
図１１（ｄ）の実施の形態の握り部４４は、握り本体４４ａの中央部４４ａ１に切り欠き４４ａ２が形成され、握り本体４４ａの上側に人指指を当て、下側に中指を当て、中央部４４ａ１を親指で押すことで、上側取り付け部４４ｃと下側取り付け部４４ｂとが切り欠き４４ａ２によって変形して開き、図１１（ａ）の実施の形態の握り部４４と同様に洗浄液回収皿１０に取り付けることができる。
【００６７】
図１１（ｅ）の実施の形態の握り部４４は、握り本体４４ａの中央部４４ａ１にレバー４４ａ３が形成され、握り本体４４ａの上側に親指を当て、レバー４４ａ３に人指指を当て、両者を近ずけるように力を入れることで、上側取り付け部４４ｃと下側取り付け部４４ｂとが開き、図１１（ａ）の実施の形態の握り部４４と同様に洗浄液回収皿１０に取り付けることができる。
【００６８】
［第５の実施の形態］
この第５の実施の形態の顔専用洗浄液回収具１を、図１２に示し、図１２（ａ）は洗浄液回収皿に保持体を取り付けた状態を示す断面図、図１２（ｂ）は洗浄液回収皿に保持体を取り付けた状態を示す平面図、図１２（ｃ）は洗浄液回収皿に他の実施の形態の保持体を取り付けた状態を示す背面図、図１２（ｄ）は洗浄液回収皿に他の実施の形態の保持体を取り付けた状態を示す背面図である。
【００６９】
図１２（ａ）及び図１２（ｂ）の実施の形態では、洗浄液回収皿１０が第１の実施の形態と同様に構成されるが、洗浄時に洗浄液回収皿１０を顔に保持するための保持体４５を、洗浄液回収皿１０に備える。
【００７０】
この保持体４５が、帯状部４５ａと、この帯状部４５ａの両端に設けられた取付部４５ｂ，４５ｂから構成されている。帯状部４５ａは、ゴム、紐、樹脂などで形成され、取付部４５ｂ，４５ｂは、一対の連結壁１４，１５の一部１４ｂ，１５ｂに上部から嵌め込み取り付ける。
【００７１】
図１２（ｃ）の実施の形態では、保持体４５の取付部４５ｂが、上係合部４５ｂ２と、下係合部４５ｂ３と、上係合部４５ｂ２と下係合部４５ｂ３を連結する連結部４５ｂ１を有する構成であり、上係合部４５ｂ２と下係合部４５ｂ３とを洗浄液回収皿１０の上部と底部に嵌め込み取り付ける。
【００７２】
図１２（ｄ）の実施の形態では、保持体４５の取付部４５ｂが、上係合部４５ｂ２と、下係合部４５ｂ３を有する構成であり、上係合部４５ｂ２と下係合部４５ｂ３とを洗浄液回収皿１０の上部と底部に嵌め込み取り付ける。
【００７３】
このように、洗浄液回収皿１０に保持体４５を備えることで、洗浄時に保持体４５を、例えば、ゴム布バンド、布帯、プラスチック板クレーム等とし、この保持体４５を頭や耳に引っかけることでつば部２０を顔の特定部位に密着させることができる。また、洗浄液回収皿１０に洗浄液が溜まると重くなるが、この場合でも確実、かつ安定して保持することができる。また、洗浄液回収皿１０を持つ手が空くことになり、この空いた手で例えば布巾や綿棒などを持ってマスカラ液やアイラインなどを洗浄することができる。
【００７４】
［第６の実施の形態］
この第６の実施の形態の顔専用洗浄液回収具１を、図１３に示し、図１３（ａ）は洗浄液量調節具を取り付けた状態の断面図、図１３（ｂ）は洗浄液量調節具を取り付け状態を示す平面図、図１３（ｃ）は、洗浄液量調節具の他の実施の形態の斜視図である。この第６の実施の形態の顔専用洗浄液回収具１は、洗浄液回収皿１０が第１の実施の形態と同様に構成されるが、洗浄液回収皿１０に、洗浄時に洗浄液を洗浄具から絞り落として洗浄液量を調節する洗浄液量調節具４７を備える。
【００７５】
この洗浄液量調節具４７は、取付部４７ａと洗浄液量調節部４７ｂから構成され、例えば、樹脂、ゴムなどの材料で成形される。この洗浄液量調節具４７は、取付部４７ａを洗浄液回収皿１０の長い円弧状の側壁１３に上部から嵌め込んで取り付けると、洗浄液量調節部４７ｂは取付部４７ａから洗浄液回収皿１０の中央部に延びて配置され、洗浄液量調節具４７が着脱可能になっている。
【００７６】
洗浄時に、洗浄具に洗浄液が多量に付着していると周囲に洗浄液が飛散して汚れるために、洗浄具を洗浄液量調節部４７ｂのスリット部４７ｂ１に入れて絞り、洗浄者が自分自身で洗浄具の洗浄液量を調節することができる。
【００７７】
この洗浄液量調節具４７は、図１３（ｃ）に示すように、取付本体部４７ｃと、下側取付部４７ｄと、上側取付部４７ｅと、洗浄液量調節部４７ｆから構成してもよい。この実施の形態では、洗浄液量調節部４７ｆには、スリット部４７ｆ１が形成され、このスリット部４７ｆ１に洗浄具を挿入してしごくことで洗浄液量を調節する。
【００７８】
この洗浄液量調節具４７は、長い円弧状の側壁１３に限らず、一対の連結壁１４，１５の一部１４ｂ，１５ｂにも取り付けられ、洗浄時に洗浄液量調節具４７によって、洗浄液を洗浄具から絞り落として洗浄液量を調節し、不要な洗浄液は洗浄液回収皿１０の内部に落とし込むことができる。
【００７９】
［第７の実施の形態］
この第７の実施の形態の顔専用洗浄液回収具１を、図１４に示し、図１４（ａ）は鏡器具を取り付けた状態の断面図、図１４（ｂ）は鏡器具の他の実施の形態を示す斜視図である。
【００８０】
この第７の実施の形態の顔専用洗浄液回収具１は、洗浄液回収皿１０が第１の実施の形態と同様に構成されるが、洗浄液回収皿１０に、洗浄時に身体の特定部位を確認する鏡器具４８を備える。
【００８１】
この鏡器具４８は、取付部４８ａと、鏡軸部４８ｂと、鏡４８ｃから構成される。取付部４８ａに鏡軸部４８ｂが回動可能に設けられ、鏡軸部４８ｂに鏡４８ｃが回動可能に設けられ、鏡４８ｂの位置を自由に変えることができるようになっている。
【００８２】
この鏡器具４８の取付部４８ａは、洗浄液回収皿１０の長い円弧状の側壁１３、また一対の連結壁１４，１５の一部１４ｂ，１５ｂに取り付けられ、右利き、左利きの人の持ち方が便利なように取り外し位置替えができる。このように、洗浄液回収皿１０に鏡器具４８を備えることで、身体の特定部位を確認しながら洗浄して洗浄液を洗浄液回収皿１０に回収することができる。
【００８３】
また、鏡器具４８は、図１４（ｂ）に示すように、鏡軸部４８ｂがフレキシブルワイヤー、軟質樹脂等の材料で成形され、伸縮自在にしておくことで、鏡４８ｃを左右の任意の位置に移動することができ、しかも上下に移動することができるため、鏡４８ｃをユーザに合わせた位置に自由に移動することができる。
【００８４】
［第８の実施の形態］
この第８の実施の形態の顔専用洗浄液回収具１を、図１５に示し、図１５（ａ）は掻き落とし洗浄部を取り付けた状態の断面図、図１５（ｂ）は握り部を取り付けた状態の断面図、図１５（ｃ）は保持体を取り付けた状態の背面図、図１５（ｄ）は他の実施の形態の保持体を取り付けた状態の背面図、図１５（ｅ）は洗浄液量調節具を取り付けた状態の断面図、図１５（ｆ）は鏡器具を取り付けた状態の断面図である。
【００８５】
図１５（ａ）の実施の形態では、洗浄液回収皿１０の長い円弧状の側壁１３に取付部１３ｆが一体に突起状に形成され、掻き落とし洗浄部４１を取り付けるときに、つまみ部４１ｇを摘んで、ストッパー部４１ｆを取付部１３ｆに係合して取り付ける。
【００８６】
図１５（ｂ）の実施の形態では、洗浄液回収皿１０の長い円弧状の側壁１３に取付部１３ｆが一体に突起状に形成され、握り部４４を取り付けるときに、レバー部４４ｇを摘んで、ストッパー部４４ｆを取付部１３ｆに係合して取り付ける。
【００８７】
図１５（ｃ）の実施の形態では、洗浄液回収皿１０の連結壁１４，１５に取付部１４ｆ，１５ｆがそれぞれ一体に突起状に形成され、それぞれ保持体４５の取付部４５ｂを取り付けるときに、ストッパー部４５ｆを取付部１４ｆに係合し、ストッパー部４５ｆを取付部１５ｆに係合して取り付ける。
【００８８】
図１５（ｄ）の実施の形態では、保持体４５の取付部４５ｂを取り付けるときに、レバー部４５ｇを摘んで、ストッパー部４５ｆを取付部１４ｆに係合し、ストッパー部４５ｆを取付部１５ｆに係合して取り付ける。
【００８９】
図１５（ｅ）の実施の形態では、洗浄液回収皿１０の長い円弧状の側壁１３に取付部１３ｆが一体に突起状に形成され、洗浄液量調節具４７の取付部４７ａを取り付けるときに、レバー部４７ｇを摘んで、ストッパー部４７ｆを取付部１３ｆに係合して取り付ける。
【００９０】
図１５（ｅｆ）の実施の形態では、洗浄液回収皿１０の長い円弧状の側壁１３に取付部１３ｆが一体に突起状に形成され、鏡器具４８の取付部４８ａを取り付けるときに、レバー部４８ｇを摘んで、ストッパー部４８ｆを取付部１３ｆに係合して取り付ける。
【００９１】
このように、洗浄液回収皿１０に取付部１３ｆが形成されており、この取付部１３ｆに掻き落とし洗浄部４１、握り部４４、または保持体４５、または洗浄液量調節具４７、または鏡器具４８を確実に取り付けることができる。
【００９２】
［第９の実施の形態］
この第９の実施の形態の顔専用洗浄液回収具１を、図１６に示し、図１６（ａ）は掻き落とし洗浄部を共通の接続部品を介して取り付けた状態の断面図、図１６（ｂ）は他の実施の形態の共通の接続部品を取り付けた状態の断面図、図１６（ｃ）は他の実施の形態の共通の接続部品を取り付けた状態の断面図である。
【００９３】
図１６（ａ）の実施の形態では、洗浄液回収皿１０に掻き落とし洗浄部４１を共通の接続部品５０を介して取り付け、洗浄液回収皿１０の長い円弧状の側壁１３に取付部１３ｆが一体に突起状に形成されている。この共通の接続部品５０は、取付部５０ａと、支持部５０ｂを有し、取付部５０ａのストッパー部５０ａ１を取付部１３ｆに係合して取り付ける。そして、支持部５０ｂの支柱部５０ｂ１に掻き落とし洗浄部４１の係合部４１ａ１を嵌め込み取り付け、支柱部５０ｂ１に一体に形成した突起５０ｂ２によって共通の接続部品５０が保持される。
【００９４】
図１６（ｂ）の実施の形態では、共通の接続部品５０が摘み部５０ａ２を有し、共通の接続部品５０を取り付けるときに、摘み部５０ａ２を摘んで、ストッパー部５０ａ１を取付部１３ｆに係合して取り付ける。
【００９５】
図１６（ｃ）の実施の形態では、共通の接続部品５０が下取付部５０ａ３を有し、共通の接続部品５０を取り付けるときに、下取付部５０ａ３を洗浄液回収皿１０の取付部１１ａ１に係合して取り付ける。
【００９６】
このように、洗浄液回収皿１０に共通の接続部品５０を取り付け、この共通の接続部品５０に掻き落とし洗浄部４１に限らず、握り部４４、または保持体４５、または洗浄液量調節具４７、または鏡器具４８を確実に取り付けることができる。
【産業上の利用可能性】
【００９７】
この発明は、特に人の目の周囲に塗布された化粧用塗布液などを洗浄し、この洗浄液を確実に回収することが可能な顔専用洗浄液回収具に適用でき、顔の特定部位を洗浄した洗浄液を確実に回収することが可能である。
【符号の説明】
【００９８】
１  顔専用洗浄液回収具
１０  洗浄液回収皿
１１  底部
１１ａ１，１１ａ２，１１ａ３  取付部
１２  短い円弧状の側壁
１２ａ  リブ
１３  長い円弧状の側壁
１４，１５  連結壁
１４ａ，１５ａ  短い円弧状の側壁１２側の一部
１４ｂ，１５ｂ  長い円弧状の側壁１３側の一部
２０  つば部
２０ａ，２０ｂ，２０ｃ  所定角度外側に広げた部分
４０  弾性部材
４１  掻き落とし洗浄部
４４  握り部
４５  保持体
４７  絞り皿
４８  鏡器具
５０  共通の接続部品
８０  まつ毛
９０  洗浄具
【図１】
2011125398.tif 000003
【図２】
2011125398.tif 000004
【図３】
2011125398.tif 000005
【図４】
2011125398.tif 000006
【図５】
2011125398.tif 000007
【図６】
2011125398.tif 000008
【図７】
2011125398.tif 000009
【図８】
2011125398.tif 000010
【図９】
2011125398.tif 000011
【図１０】
2011125398.tif 000012
【図１１】
2011125398.tif 000013
【図１２】
2011125398.tif 000014
【図１３】
2011125398.tif 000015
【図１４】
2011125398.tif 000016
【図１５】
2011125398.tif 000017
【図１６】
2011125398.tif 000018